(57)【要約】【課題】基板ケースに収容された制御基板に対する不正行為を防止可能な遊技機を提供する。【解決手段】主基板ケース４５０に、ブラケット部材３００の支持部に揺動可能に支持された主基板ケース４５０が揺動状態および非揺動状態のいずれであっても、主基板ケース４５０の支持係合部がブラケット部材３００の支持部に対し左方に相対移動しようとすると払出ユニット（賞球払出装置３５および払出通路部材３６）に当接し、当該支持係合部の左方への相対移動を規制する取り外し規制部４８６が設けられる。そして、払出ユニットが裏機構盤３０から取り外された状態においてのみ、主基板ケース４５０の支持係合部がブラケット部材３００の支持部に対し相対移動可能になって、主基板ケース４５０がブラケット部材３００に対して着脱可能に構成される。【選択図】図１０
2018011741.tif 000002
【特許請求の範囲】
【請求項１】
本体部と、
前記本体部に着脱可能に取り付けられ、遊技に関連して用いられる遊技関連部品と、
前記本体部における前記遊技関連部品の近傍に設けられたブラケット部材と、
遊技に関連する制御を行う制御基板と、
前記ブラケット部材に着脱可能に取り付けられ、前記制御基板を収容する基板ケースとを備え、
前記ブラケット部材は、前記基板ケースを揺動可能に支持する支持部を有し、
前記基板ケースは、前記支持部と係合可能な支持係合部を有し、
前記支持係合部は、前記支持部と係合して前記基板ケースが前記支持部に揺動可能に支持される支持位置と、前記支持位置よりも前記遊技関連部品に近づく側に設定され、前記支持部との係合が外れて前記基板ケースが前記ブラケット部材に対して着脱可能になる着脱位置との間で、前記支持部に対して相対移動可能に構成され、
前記基板ケースに、前記支持部に揺動可能に支持された前記基板ケースが揺動状態および非揺動状態のいずれであっても、前記支持係合部が前記支持位置から前記着脱位置に向けて相対移動しようとすると前記遊技関連部品に当接し、前記支持係合部の前記着脱位置に向けた相対移動を規制する取り外し規制部が設けられ、前記遊技関連部品が前記本体部から取り外された状態においてのみ、前記支持係合部が前記支持位置と前記着脱位置との間で相対移動可能になって、前記基板ケースが前記ブラケット部材に対して着脱可能に構成されることを特徴とする遊技機。
【請求項２】
前記支持部および前記支持係合部のうち一方が軸部を有して構成され、
前記支持部および前記支持係合部のうち他方が前記軸部と係合可能な穴部を有して構成されることを特徴とする請求項１に記載の遊技機。
【請求項３】
前記本体部は、前面側に遊技球を用いた遊技を行う遊技領域が設けられた遊技盤と、前記遊技盤を保持する枠部とを含み、
前記遊技関連部品は、遊技の結果に応じて遊技球を払い出す払出ユニットであり、
前記払出ユニットは、前記枠部の後側に着脱可能に取り付けられ、
前記ブラケット部材は、前記遊技盤の後側における前記払出ユニットの側方近傍に設けられることを特徴とする請求項１または２に記載の遊技機。
【発明の詳細な説明】
【技術分野】
【０００１】
本発明は、ぱちんこ遊技機等の遊技機に関する。
【背景技術】
【０００２】
遊技機の一つであるぱちんこ遊技機は、遊技球による遊技を行う遊技領域が設けられた遊技盤を保持する枠部材に、払出装置および各種制御基板が装着された裏機構盤が取り付けられて構成される。そして、発射機構により遊技領域の上側に打ち出した遊技球を落下させる過程で、遊技領域内に設けた各種の入賞装置に入賞させる遊技が行われる。遊技領域には、各種の入賞装置の他、遊技性を高めるためのセンター飾りや画像表示装置等が設けられる。遊技盤の後側には、遊技に関する制御を行う主制御基板や、演出に関する制御を行う副制御基板等が設けられる（例えば、特許文献１を参照）。主制御基板および副制御基板は、それぞれ基板ケースに収容される。
【先行技術文献】
【特許文献】
【０００３】
【特許文献１】特許第４５００８８１号公報
【発明の概要】
【発明が解決しようとする課題】
【０００４】
このような遊技機では、基板ケースに収容された制御基板に対する不正行為を防止するための方策が求められている。
【０００５】
本発明は、このような課題に鑑みてなされたものであり、基板ケースに収容された制御基板に対する不正行為を防止可能な遊技機を提供することを目的とする。
【課題を解決するための手段】
【０００６】
このような目的達成のため、本発明に係る遊技機は、本体部と、前記本体部に着脱可能に取り付けられ、遊技に関連して用いられる遊技関連部品と、前記本体部における前記遊技関連部品の近傍に設けられたブラケット部材と、遊技に関連する制御を行う制御基板と、前記ブラケット部材に着脱可能に取り付けられ、前記制御基板を収容する基板ケースとを備え、前記ブラケット部材は、前記基板ケースを揺動可能に支持する支持部を有し、前記基板ケースは、前記支持部と係合可能な支持係合部を有し、前記支持係合部は、前記支持部と係合して前記基板ケースが前記支持部に揺動可能に支持される支持位置と、前記支持位置よりも前記遊技関連部品に近づく側に設定され、前記支持部との係合が外れて前記基板ケースが前記ブラケット部材に対して着脱可能になる着脱位置との間で、前記支持部に対して相対移動可能に構成され、前記基板ケースに、前記支持部に揺動可能に支持された前記基板ケースが揺動状態および非揺動状態のいずれであっても、前記支持係合部が前記支持位置から前記着脱位置に向けて相対移動しようとすると前記遊技関連部品に当接し、前記支持係合部の前記着脱位置に向けた相対移動を規制する取り外し規制部が設けられ、前記遊技関連部品が前記本体部から取り外された状態においてのみ、前記支持係合部が前記支持位置と前記着脱位置との間で相対移動可能になって、前記基板ケースが前記ブラケット部材に対して着脱可能に構成される。
【発明の効果】
【０００７】
本発明によれば、基板ケースに収容された制御基板に対する不正行為を防止することができる。
【図面の簡単な説明】
【０００８】
【図１】ぱちんこ遊技機の正面図である。
【図２】ぱちんこ遊技機からガラス枠を取り外した状態を示す正面図である。
【図３】ぱちんこ遊技機の背面図である。
【図４】ぱちんこ遊技機の側面図である。
【図５】上下の球皿を上方から見た斜視図である。
【図６】上下の球皿を下方から見た斜視図である。
【図７】上下の球皿を正面から見た断面図である。
【図８】図２における円Ａで囲まれた部分を示す拡大背面図である。
【図９】ぱちんこ遊技機において主基板ケースを揺動させた状態を示す拡大背面図である。
【図１０】ぱちんこ遊技機において主基板ケースを揺動させた状態を示す拡大斜視図である。
【図１１】ぱちんこ遊技機において払出ユニットを取り外した状態を示す拡大斜視図である。
【図１２】ブラケット部材の斜視図である。
【図１３】主制御装置を前方から見た斜視図である。
【図１４】基板ケースが開封された状態の主制御装置を後方から見た斜視図である。
【図１５】主制御装置を前方から見た分解斜視図である。
【図１６】コネクタカバーの変形例を示す斜視図である。
【図１７】（ａ）は補強部材の変形例を示す正面図であり、（ｂ）は補強部材の変形例を示す断面図である。
【発明を実施するための形態】
【０００９】
以下、本発明の好ましい実施形態について図面を参照して説明する。本実施形態に係る弾球遊技機としてぱちんこ遊技機ＰＭを図１〜図３に示しており、まず、この図を参照してぱちんこ遊技機ＰＭの全体構成について説明する。本実施形態において、図１の各矢印で示す方向をそれぞれ、上下方向、前後方向、左右方向として説明する。
【００１０】
［ぱちんこ遊技機の全体構成］
始めに、ぱちんこ遊技機ＰＭの前面側の基本構造を説明する。ぱちんこ遊技機ＰＭは、図１および図２に示すように、外郭方形枠サイズに構成された縦向きの固定保持枠をなす外枠１と、これに合わせた方形枠サイズに構成されて開閉搭載枠をなす前枠２とを主体に構成される。前枠２は、外枠１および前枠２の左側縁部に配設された上下のヒンジ機構３ａ，３ｂにより、外枠１の前側開口部に対して横開き開閉および着脱が可能に取り付けられる。また、前枠２は、右側縁部に設けられたダブル錠と称される施錠装置４を利用して、常には外枠１と係合連結された閉鎖状態に保持される。
【００１１】
図１に示すように、前枠２の前面側には、この前枠２の上部前面域に合わせた方形状のガラス枠５が上下のヒンジ機構３ａ，３ｂを利用して横開き開閉および着脱可能に組み付けられる。ガラス枠５は、上述の施錠装置４を利用して、常には前枠２の前面を覆う閉鎖状態に保持される。図２に示すように、前枠２の上側に設けられた収容枠２ａに遊技盤１０が着脱可能にセット保持され、常には閉鎖保持されるガラス枠５の複層ガラス５ａを通して、遊技盤１０の前面に設けられた遊技領域ＰＡを視認可能に臨ませるようになっている。
【００１２】
遊技盤１０は、透明の樹脂材料を用いて板状に形成されたベース部材１１の前面側に、内外のレール部１２，１３により囲まれて略円形状の遊技領域ＰＡが形成されるようになっている。詳細な図示を省略するが、遊技盤１０の遊技領域ＰＡには、多数本の遊技釘とともに、遊技球が入球可能な一般入賞装置、始動入賞装置、大入賞装置等の各種入賞装置
（図示せず）、センター飾り（図示せず）、画像表示装置（図示せず）等が取り付けられている。また、遊技領域ＰＡの下端部には、遊技球が通過可能なアウト口１８が形成されている。
【００１３】
外レール部１２は、下側が開いた円弧状に形成されており、発射機構２２から発射された遊技球を遊技領域ＰＡへ導くようになっている。内レール部１３は、右側が開いた円弧状に形成されており、遊技盤１０（ベース部材１１）の前面において外レール部１２に対し右方に所定間隔を空けるように配設される。これにより、内レール部１３と外レール部１２との間に、発射機構２２が設けられる側から遊技領域ＰＡの上部へと繋がる発射通路１５が形成されるようになっている。
【００１４】
図１に示すように、複層ガラス５ａの下方に位置するガラス枠５の下部前面側には、遊技球を貯留する上下の球皿（上球皿２１０および下球皿２２０）が設けられる。なお、詳細は後述するが、上球皿２１０および下球皿２２０は、ガラス枠５の左右の中心に対して左側に寄って配置される。これにより、ガラス枠５の下部前面側の中央に、所定の演出操作を行うための演出操作装置２５０が取り付けられる。ガラス枠５の上部前面側には、発光ダイオード（ＬＥＤ）やランプ等の電飾装置７や、遊技の展開状態に応じて効果音を発生させるスピーカ８が設けられる。
【００１５】
前枠２の右下部には、遊技球の発射操作を行う発射ハンドル９が設けられる。図２に示すように、前枠２の下部におけるガラス枠５の後側の領域（以降、遊技補助盤２０と称する）には、上球皿２１０に貯留された遊技球を１球ずつ送り出す整流器２１、整流器２１から送り出された遊技球を遊技領域ＰＡに向けて打ち出す発射機構２２、発射機構２２の作動を制御する発射制御基板２３等が設けられる。
【００１６】
続いて、ぱちんこ遊技機ＰＭの後面側の基本構造を説明する。図３に示すように、前枠２の後面側には、中央に前後連通する窓口を有して前枠２よりも幾分小型の矩形枠状に形成された裏機構盤３０が取り付けられている。裏機構盤３０の各部には、遊技施設側から供給される遊技球を貯留するタンク部材３３、タンク部材３３から供給される遊技球を流下させる樋部材３４、樋部材３４を流下する遊技球を払い出す賞球払出装置３５、賞球払出装置３５から払い出された遊技球を上球皿２１０もしくは下球皿２２０に流下させる払出通路部材３６等が設けられている。
【００１７】
遊技盤１０の後側には、ぱちんこ遊技機ＰＭの作動を統括的に制御する主制御装置４００や、遊技展開に応じた画像表示、効果照明、効果音等の演出全般の制御を行う副制御装置４１等が取り付けられている。これに対して、裏機構盤３０の後側には、遊技球の払い出しに関する制御を行う払出制御装置４２や、遊技施設側から受電して各種制御装置や電気・電子部品に電力を供給する電源基板ユニット４３等が取り付けられている。これらの制御装置とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿２１０に遊技球を貯留させて発射ハンドル９を回動操作することにより遊技が開始される。発射ハンドル９が回動操作されると、上球皿２１０に貯留された遊技球が、整流器２１によって１球ずつ発射機構２２に送り出され、発射機構２２により遊技領域ＰＡに打ち出されて、以降パチンコゲームが展開される。
【００１９】
［球皿の構成］
次に、図４〜図７を追加参照して、ガラス枠５の下部（複層ガラス５ａの下方）に設け
られた上球皿２１０および下球皿２２０について説明する。上球皿２１０および下球皿２２０は、図４〜図６に示すように、ガラス枠５の下部に形成された下部フレーム２０５の前面側に取り付けられる。上球皿２１０および下球皿２２０は、下部フレーム２０５の左右の中心に対して左側に寄って配置される。これにより、図１および図５に示すように、下部フレーム２０５の前面側中央に所定の演出操作を行うための演出操作装置２５０が取り付けられ、演出操作装置２５０の左側方（上下のヒンジ機構３ａ，３ｂに近い側の側方）に上球皿２１０および下球皿２２０が配置される。
【００２０】
上球皿２１０は、図５および図７に示すように、樹脂材料を用いて遊技球を貯留可能な皿状に形成され、下部フレーム２０５の前面側における上側出口通路部２０６の前方に取り付けられる。上球皿２１０は、賞球払出装置３５から払い出された遊技球を貯留可能に構成される。上側出口通路部２０６は、前枠２および裏機構盤３０に形成された賞球払出通路（図示せず）に繋がっており、賞球払出装置３５から払い出された遊技球が払出通路部材３６から延びて形成された賞球払出通路を流下し、上側出口通路部２０６を通過して上球皿２１０に流出するようになっている。
【００２１】
上球皿２１０の底部２１１は、後側部分が右下方に傾斜して形成されており、演出操作装置２５０の後側まで延びた上球皿２１０の右側部分に球通路部（図示せず）が繋がるようになっている。これにより、上球皿２１０に貯留される遊技球は、球通路部に向けて上球皿２１０の右側に流れ込む。球通路部は、詳細な図示を省略するが、上球皿２１０の右側に流れ込んだ遊技球を整流器２１に導くように構成される。また、下部フレーム２０５に設けられた球抜き機構（図示せず）に対し所定の球抜き操作が行われると、球通路部を流下する遊技球が球抜き通路（図示せず）の方に導かれて球抜き出口部２０８から下球皿２２０に流出するようになっている。上球皿２１０の前側に、所定の装飾が施されて前方に突出するように湾曲した前側壁部２１２が形成される。
【００２２】
下球皿２２０は、図５および図７に示すように、樹脂材料を用いて遊技球を貯留可能な皿状に形成され、下部フレーム２０５の前面側における下側出口通路部２０７および球抜き出口部２０８の前側に取り付けられる。下球皿２２０は、上球皿２１０の下方に配置され、上球皿２１０から溢れ出た遊技球または、上球皿２１０から球抜きが行われた遊技球を貯留可能に構成される。下側出口通路部２０７は、前枠２および裏機構盤３０に形成された下球皿通路（図示せず）に繋がっており、上球皿２１０が満杯となって賞球払出通路の上球皿通路部（図示せず）から溢れ出た遊技球が下球皿通路を流下し、下側出口通路部２０７を通過して下球皿２２０に流出するようになっている。球抜き出口部２０８は、前述したように球抜き機構の球抜き通路（図示せず）に繋がっており、球抜き機構により上球皿２１０から球抜きが行われた遊技球が球抜き通路を流下し、球抜き出口部２０８を通過して下球皿２２０に流出するようになっている。
【００２３】
下球皿２２０の前側に、右側部分が左側部分よりも前方に突出した前側壁部２２２が形成される。下球皿２２０の右側に、演出操作装置２５０の左側部に沿って前後方向に直線的に延びる右側壁部２２３が形成される。下球皿２２０の底部２２１に、開閉部材２２６により開閉可能な球排出口２２４が形成される。前側壁部２２２の左側に、開閉部材２２６を変位させて球排出口２２４を開閉させるための操作が行われる開閉操作部材２２７が取り付けられる。
【００２４】
演出操作装置２５０は、図６および図７に示すように、所定の演出操作が行われる演出操作部２５１と、演出操作部２５１が取り付けられる外装部２６１と、外装部２６１の内部に収容された内部機構部２５６とを有して構成される。内部機構部２５６は、演出操作部２５１を支持するとともに演出操作部２５１の操作に応じた作動を行う。また、内部機構部２５６は、外装部２６１の中央外装部２６２に設けられた表示部（透明部）を通じて
所定の演出を視認させることも可能である。
【００２５】
外装部２６１は、図１に示すように、上端部に演出操作部２５１が取り付けられる中央外装部２６２と、中央外装部２６２の左上部から左方に延びて形成された左外装部２７３と、中央外装部２６２の右上部から右方に延びて形成された右外装部２６４とを有して構成される。中央外装部２６２は、所定の装飾が施されて、下球皿２２０の前端部とほぼ同じ前後方向位置まで前方に膨出するように形成される。
【００２６】
左外装部２７３は、図５〜図７に示すように、中央外装部２６２の左上部から上球皿２１０の下側近傍まで延びて、上球皿２１０の下側を覆うようになっている。中央外装部２６２の上部の左側近傍に上球皿２１０が配置され、中央外装部２６２の下部の左側近傍に下球皿２２０が配置されることで、中央外装部２６２の中間部の左側近傍に位置する左外装部２７３と下球皿２２０との間に、前方から手を入れることが可能な開口部を有して、（前方から手を入れて）下球皿２２０に貯留された遊技球を掴むことが可能な球皿空間Ｓが形成される。左外装部２７３には、前面側において所定の装飾が施された前面部２７４と、下面側において下球皿２２０の底部２１１の右側部分と対向する天井面部２７５とが形成される。図４および図６に示すように、球皿空間Ｓに面する左外装部２７３の天井面部２７５に、前方から後方に向かうにつれて上方に傾斜する傾斜面部２７６が形成される。
【００２７】
なお、図５〜図７に示すように、下部フレーム２０５の前面側における左端部には、球皿空間Ｓの左方に位置する左装飾部材２８０が取り付けられる。左装飾部材２８０は、上側部分が左外装部２７３の下側近傍まで延びて、左外装部２７３の左端部近傍の下側を覆うようになっている。左装飾部材２８０には、左面側および前面側において所定の装飾が施された装飾面部２８１と、上部下面側において下球皿２２０の底部２１１の左側部分と対向する天井面部２８２とが形成される。
【００２８】
以上のように構成される上球皿２１０および下球皿２２０において、賞球払出装置３５から払い出された遊技球は、賞球払出通路（図示せず）および上側出口通路部２０６を通過して上球皿２１０に流出し、上球皿２１０に貯留される。上球皿２１０が満杯となって賞球払出通路の上球皿通路部（図示せず）から溢れ出た遊技球は、下球皿通路（図示せず）および下側出口通路部２０７を通過して下球皿２２０に流出し、下球皿２２０に貯留される。また、球抜き機構（図示せず）により上球皿２１０から球抜きが行われた遊技球は、球抜き通路（図示せず）および球抜き出口部２０８を通過して下球皿２２０に流出し、下球皿２２０に貯留される。
【００２９】
下球皿２２０の開閉操作部材２２７を操作して、開閉部材２２６に球排出口２２４を開放させることで、下球皿２２０に貯留された遊技球を下球皿２２０の下方に（いわゆるドル箱等に）排出することができる。また、上球皿２１０に遊技球を補充する必要がある場合には、下球皿２２０に貯留された遊技球を手で掴んで取り出し、上球皿２１０まで持ち運ぶことも可能である。本実施形態においては、球皿空間Ｓに面する左外装部２７３の天井面部２７５に、前方から後方に向かうにつれて上方に傾斜する傾斜面部２７６が形成される。これにより、球皿空間Ｓの奥側（後側）の部分が上方に広くなるため、前方から球皿空間Ｓに手を入れて、（特に、満杯状態の）下球皿２２０に貯留された遊技球を掴むことが容易になる。そのため、ガラス枠５の下部前面側に大型の演出操作装置２５０が設けられて、上球皿２１０と下球皿２２０との間の球皿空間Ｓが狭くなる可能性があっても、下球皿２２０に貯留された遊技球を取り出し易くすることができる。
【００３０】
［主制御装置の構成］
次に、図８〜図１５を追加参照して、主制御装置４００について説明する。主制御装置
４００は、図８〜図９に示すように、遊技盤１０の後側における賞球払出装置３５および払出通路部材３６（以降、これらの遊技関連部品をまとめて払出ユニットと称する場合がある）の右方近傍に設けられたブラケット部材３００に着脱可能に取り付けられる。ブラケット部材３００には、主制御装置４００の他に、コネクタカバー３２０（図８を参照）や、補強部材３４０（図９を参照）が取り付けられる。
【００３１】
ブラケット部材３００は、図１２に示すように、樹脂材料を用いて、主制御装置４００の主基板ケース４５０の外周形状に合わせた板状に形成される。ブラケット部材３００左端部（図１２における右端部）の上下２箇所に、穴部を有する取付ヒンジ部３０１が形成される。取付ヒンジ部３０１は、遊技盤１０の後側に設けられた支持軸部（図示せず）に回転自在に連結される。これにより、ブラケット部材３００は、遊技盤１０の後側に左右方向に揺動自在に取り付けられる。ブラケット部材３００の右端部（図１２における左端部）に、ナイラッチ３５０を挿通させることが可能な取付穴部３０３が形成される。ナイラッチ３５０を取付穴部３０３に挿通させて遊技盤１０の後側に設けられたナイラッチ結合部（図示せず）に結合させることで、ブラケット部材３００が遊技盤１０の後側に取り付け固定される。
【００３２】
ブラケット部材３００の後面には、補強部材３４０が重ねて取り付けられる。ブラケット部材３００の後面側における上下および右側（図１２における左側）の複数箇所に、補強部材３４０の縁部に係止可能な補強部材係止片３０５が形成される。ブラケット部材３００の後面側における左側（図１２における右側）に、補強部材３４０を固定可能な爪状の補強部材固定片３０６が形成される。ブラケット部材３００の後面側における右上端部に、中央に穴部を有するボス形状のボス穴部３０７が形成される。ブラケット部材３００の左側上端部に、後方に突出する爪状の係止爪部３０８が形成される。係止爪部３０８は、主制御装置４００の主基板ケース４５０の左側上端部に係止可能に構成される。
【００３３】
ブラケット部材３００の後面側における右下部（図１２における左下部）に、後方に突出するブロック状の第１支持部３１１が形成される。第１支持部３１１は、左方（図１２における右方）に突出して延びる軸状の第１軸部３１２を有し、主基板ケース４５０の右下部に形成された第１支持係合部４８１の第１穴部４８２と第１軸部３１２とが係合した状態で、主基板ケース４５０を上下方向に揺動可能に支持する。ブラケット部材３００の後面側における左下部に、後方に突出するブロック状の第２支持部３１３が形成される。第２支持部３１３は、左方に突出して延びる軸状の第２軸部３１４を有し、主基板ケース４５０の左下部に形成された第２支持係合部４８３の第２穴部４８４と第２軸部３１４とが係合した状態で、主基板ケース４５０を上下方向に揺動可能に支持する。
【００３４】
また、ブラケット部材３００の後面側における右下部に、後方に突出するブロック状の第１コネクタカバー取付部３１５が形成される。ブラケット部材３００の後面側における左下部に、後方に突出するブロック状の第２コネクタカバー取付部３１６が形成される。第１コネクタカバー取付部３１５は、第１支持部３１１の左方に配置され、第２コネクタカバー取付部３１６は、第２支持部３１３の右方に配置される。このように、ブラケット部材３００の後面側における第１支持部３１１と第２支持部３１３との間に配置された第１コネクタカバー取付部３１５および第２コネクタカバー取付部３１６には、コネクタカバー３２０が上下方向に揺動可能に取り付けられる。
【００３５】
コネクタカバー３２０は、透明の樹脂材料を用いて板状に形成され、主制御装置４００の主基板ケース４５０の下部に形成された下側コネクタ露出部４７５を覆うようになっている。コネクタカバー３２０右下部に、ブラケット部材３００における第１コネクタカバー取付部３１５の先端溝部と結合する第１連結軸部３２１（図１６を参照）が形成される。コネクタカバー３２０左下部に、ブラケット部材３００における第２コネクタカバー取
付部３１６の先端溝部と結合する第２連結軸部３２２（図１６を参照）が形成される。これにより、コネクタカバー３２０は、ブラケット部材３００の第１コネクタカバー取付部３１５および第２コネクタカバー取付部３１６に対し、上下方向に揺動可能に取り付けられる。
【００３６】
補強部材３４０は、金属板材を用いて板状に形成され、ブラケット部材３００の後面に重ねて取り付けられる。この補強部材３４０により、樹脂材料を用いて形成されたブラケット部材３００の強度が増すため、不正に力が加えられてブラケット部材３００が変形するのを防止することができる。
【００３７】
主制御装置４００は、図１５に示すように、ぱちんこ遊技機ＰＭの作動を統括的に制御する主制御基板４１０と、主制御基板４１０を内部に収容する箱状の主基板ケース４５０とを有して構成される。主制御基板４１０は、詳細図示を省略するが、矩形形状のプリント配線板を基板として、ＣＰＵ、ＲＯＭ及びＲＡＭ等の電子デバイスや、抵抗、コンデンサ、コネクタ等の電子・電気部品が実装されて構成されている。主制御基板４１０の実装面（後面）には、主制御基板４１０に実装された電子デバイスや電子・電気部品を覆う基板カバー４２０が取り付けられる。
【００３８】
基板カバー４２０は、透明の樹脂材料用いて、前方側が開口した箱状に形成される。基板カバー４２０は、ケース内部において主基板ケース４５０の主基板ケース蓋４７０と主制御基板４１０との間に挟まれた状態で、主制御基板４１０の実装面を覆うようになっている。なお、主制御基板４１０の上側には、第１上側コネクタ４１１ａと、第２上側コネクタ４１１ｂが配置され、基板カバー４２０に覆われずに露出するようになっている。主制御基板４１０の下側には、第１下側コネクタ４１２ａと、第２下側コネクタ４１２ｂと、第３下側コネクタ４１２ｃが配置され、基板カバー４２０に覆われずに露出するようになっている。主制御基板４１０の右側（図１５における左側）には、右側コネクタ４１３が配置され、基板カバー４２０に覆われずに露出するようになっている。主制御基板４１０の隅部には、主基板ケース本体４６０の係合ピン４６１と係合可能な係合穴４１５が複数形成される。
【００３９】
主基板ケース４５０は、図１３〜図１５に示すように、主基板ケース本体４６０と、主基板ケース蓋４７０とからなり、主基板ケース本体４６０と主基板ケース蓋４７０とが結合して形成されるケース内部に、実装面が基板カバー４２０に覆われた主制御基板４１０が収容される。主基板ケース本体４６０は、図１５に示すように、透明の樹脂材料を用いて容器状に形成される。主基板ケース本体４６０の底部に、主制御基板４１０の係合穴４１５と係合可能な係合ピン４６１が複数形成される。主基板ケース本体４６０の上側壁部および下側壁部に、左右方向に延びる係合溝部４６２が複数並んで形成される。主基板ケース蓋４７０を主基板ケース本体４６０の後側に重ねた状態で（図１４を参照）、主基板ケース蓋４７０を右方向にスライド移動させると、係合溝部４６２が主基板ケース蓋４７０の係合片部（図示せず）と係合し、主基板ケース本体４６０と主基板ケース蓋４７０とが結合するようになっている。
【００４０】
主基板ケース本体４６０の右端部（図１５における左端部）に、不正開放防止構造として有底筒状の本体側連結部４６３が形成される。主基板ケース本体４６０の右上端部（図１５における左上端部）に、固定穴部４６４が形成される。固定穴部４６４は、主基板ケース４５０がブラケット部材３００に取り付けられた状態で、ブラケット部材３００のボス穴部３０７と位置整合するように配置される。主基板ケース本体４６０の固定穴部４６４およびブラケット部材３００のボス穴部３０７には、遊技盤１０の後側を覆う遊技盤カバー（図示せず）を固定するための固定具（ニフラッチ等）が挿通されるようになっている。
【００４１】
主基板ケース蓋４７０は、透明の樹脂材料を用いて、主基板ケース本体４６０の後面側を覆うことが可能な蓋状に形成される。主基板ケース蓋４７０の上側壁部および下側壁部の内側近傍に、主基板ケース本体４６０の係合溝部４６２と係合可能な係合片部（図示せず）が複数並んで形成される。主基板ケース蓋４７０の右端部（図１５における左端部）に、不正開放防止構造として有底筒状の蓋側連結部４７３が形成される。不正開放防止構造を構成する円柱状の連結部材（図示せず）が、本体側連結部４６３と蓋側連結部４７３とに囲まれた収容空間内に収容された状態で、本体側連結部４６３と蓋側連結部４７３とを連結させることで、主基板ケース本体４６０に対する主基板ケース蓋４７０のスライド移動が規制される。
【００４２】
主基板ケース蓋４７０上部右側（図１５における上部左側）に、主制御基板４１０の第１〜第２上側コネクタ４１１ａ〜４１１ｂを外部に露出させる上側コネクタ露出部４７４が形成される。主基板ケース蓋４７０の下部中央に、主制御基板４１０の第１〜第３下側コネクタ４１２ａ〜４１２ｃを外部に露出させる下側コネクタ露出部４７５が形成される。主基板ケース蓋４７０の右側に、主制御基板４１０の右側コネクタ４１３を外部に露出させる右側コネクタ露出部４７６が形成される。
【００４３】
主基板ケース蓋４７０の右下部（図１５における左下部）に、下方に突出する軸受状の第１支持係合部４８１が形成される。第１支持係合部４８１は、左右方向に貫通して延びる第１穴部４８２（図１４を参照）を有し、この第１穴部４８２がブラケット部材３００の第１軸部３１２と係合するようになっている。主基板ケース蓋４７０の左下部（図１５における右下部）に、下方に突出する軸受状の第２支持係合部４８３が形成される。第２支持係合部４８３は、左右方向に貫通して延びる第２穴部４８４（図１４を参照）を有し、この第２穴部４８４がブラケット部材３００の第２軸部３１４と係合するようになっている。
【００４４】
第１支持係合部４８１および第２支持係合部４８３は、ブラケット部材３００の第１支持部３１１および第２支持部３１３と係合して主基板ケース４５０が第１支持部３１１および第２支持部３１３に揺動可能に支持される支持位置と、第１支持部３１１および第２支持部３１３との係合が外れて主基板ケース４５０がブラケット部材３００に対して着脱可能になる着脱位置との間で、第１支持部３１１および第２支持部３１３に対して相対移動可能に構成される。すなわち、第１支持係合部４８１および第２支持係合部４８３が着脱位置から支持位置まで相対移動すると、ブラケット部材３００の第１軸部３１２および第２軸部３１４と第１穴部４８２および第２穴部４８４とが係合し、第１支持係合部４８１および第２支持係合部４８３が支持位置から着脱位置まで相対移動すると、第１軸部３１２および第２軸部３１４と第１穴部４８２および第２穴部４８４との係合が外れるようになっている。なお、着脱位置は、第１軸部３１２および第２軸部３１４の長さと、第１穴部４８２および第２穴部４８４の長さに応じて、支持位置よりも払出ユニット（賞球払出装置３５および払出通路部材３６）に近づく側（左側）に設定される。
【００４５】
主基板ケース蓋４７０の左側壁部の下端部に、板状の取り外し規制部４８６が形成される。取り外し規制部４８６は、第１支持係合部４８１および第２支持係合部４８３が支持位置から着脱位置に向けて相対移動しようとすると払出ユニット（賞球払出装置３５および払出通路部材３６）に当接し、第１支持係合部４８１および第２支持係合部４８３の着脱位置に向けた相対移動を規制するようになっている。なお、払出ユニットを構成する賞球払出装置３５および払出通路部材３６は、裏機構盤３０に着脱可能に取り付けられており、図１１に示すように、賞球払出装置３５および払出通路部材３６が裏機構盤３０から取り外された状態においてのみ、第１支持係合部４８１および第２支持係合部４８３が支持位置と着脱位置との間で相対移動できるようになっている。
【００４６】
以上のように構成される主制御装置４００において、主基板ケース４５０（主制御装置４００）をブラケット部材３００に取り付けるには、払出ユニット（賞球払出装置３５および払出通路部材３６）が裏機構盤３０から取り外された状態で、主基板ケース４５０の第１支持係合部４８１および第２支持係合部４８３と、ブラケット部材３００の第１支持部３１１および第２支持部３１３とを係合させる。このとき、第１支持係合部４８１および第２支持係合部４８３が第１支持部３１１および第２支持部３１３の左方に設定された着脱位置に位置するように、主基板ケース４５０をブラケット部材３００の後方に傾けて移動させる。次に、主基板ケース４５０を右方に移動させて、第１支持係合部４８１および第２支持係合部４８３を着脱位置から支持位置に相対移動させる。第１支持係合部４８１および第２支持係合部４８３が着脱位置から支持位置に相対移動する際、第１支持係合部４８１および第２支持係合部４８３に設けられた第１穴部４８２および第２穴部４８４は、第１支持部３１１および第２支持部３１３に設けられた第１軸部３１２および第２軸部３１４と回転可能に係合する。
【００４７】
これにより、主基板ケース４５０の第１支持係合部４８１および第２支持係合部４８３と、ブラケット部材３００の第１支持部３１１および第２支持部３１３とが係合し、主基板ケース４５０が第１支持部３１１および第２支持部３１３に揺動可能に支持される。そして、主基板ケース４５０をブラケット部材３００の後面側に重なるように上方に揺動させることで、ブラケット部材３００の係止爪部３０８が主基板ケース４５０の左側上端部に係止して、主基板ケース４５０（主制御装置４００）がブラケット部材３００の後面側に取り付け固定される。
【００４８】
主基板ケース４５０がブラケット部材３００に取り付けられた後、払出ユニット（賞球払出装置３５および払出通路部材３６）が裏機構盤３０に取り付けられる。この状態で、第１支持係合部４８１および第２支持係合部４８３が支持位置から着脱位置に向けて相対移動しようとすると、主基板ケース４５０の取り外し規制部４８６が払出ユニット（賞球払出装置３５および払出通路部材３６）に当接し、第１支持係合部４８１および第２支持係合部４８３の着脱位置に向けた相対移動が規制される。本実施形態において、主基板ケース４５０がブラケット部材３００の後面側に重なるように取り付け固定される非揺動状態であっても、主基板ケース４５０がブラケット部材３００に対して後方に傾くように揺動した揺動状態であっても、第１支持係合部４８１および第２支持係合部４８３が支持位置から着脱位置に向けて相対移動しようとすると、主基板ケース４５０の取り外し規制部４８６が払出ユニットに当接し、第１支持係合部４８１および第２支持係合部４８３の着脱位置に向けた相対移動が規制されるようになっている。これにより、主基板ケース４５０がブラケット部材３００から不正に取り外されるのを防止することができ、主基板ケース４５０に収容された主制御基板４１０に対する不正行為を防止することが可能になる。
【００４９】
主基板ケース４５０をブラケット部材３００から取り外すには、払出ユニット（賞球払出装置３５および払出通路部材３６）が裏機構盤３０から取り外された状態で、主基板ケース４５０をブラケット部材３００に対して後方に傾くように揺動させた後、主基板ケース４５０を左方に移動させて、第１支持係合部４８１および第２支持係合部４８３を支持位置から着脱位置に相対移動させる。第１支持係合部４８１および第２支持係合部４８３が支持位置から着脱位置に相対移動する際、第１支持係合部４８１および第２支持係合部４８３に設けられた第１穴部４８２および第２穴部４８４は、第１支持部３１１および第２支持部３１３に設けられた第１軸部３１２および第２軸部３１４から抜けて外れる。これにより、主基板ケース４５０の第１支持係合部４８１および第２支持係合部４８３と、ブラケット部材３００の第１支持部３１１および第２支持部３１３との係合が外れて、主基板ケース４５０をブラケット部材３００から取り外すことが可能になる。
【００５０】
［本実施形態における特徴構成］
［球皿の特徴構成］
本実施形態において、左外装部２７３と下球皿２２０との間に、前方から下球皿２２０に貯留された遊技球を掴むことが可能な球皿空間Ｓが形成され、球皿空間Ｓに面する左外装部２７３の下面側に、前方から後方に向かうにつれて上方に傾斜する傾斜面部２７６が形成される。これにより、球皿空間Ｓの奥側（後側）の部分が上方に広くなるため、前方から球皿空間Ｓに手を入れて、（特に、満杯状態の）下球皿２２０に貯留された遊技球を掴むことが容易になり、下球皿２２０に貯留された遊技球を取り出し易くすることができる。
【００５１】
また、上球皿２１０は、ガラス枠５の前面側における演出操作装置２５０（中央外装部２６２）の上部の左側近傍に設けられ、下球皿２２０は、ガラス枠５の前面側における演出操作装置２５０（中央外装部２６２）の下部の左側近傍且つ上球皿２１０の下方に設けられ、演出操作装置２５０（中央外装部２６２）の中間部の左側近傍に球皿空間Ｓが形成される。これにより、ガラス枠５の下部前面側に大型の演出操作装置２５０が設けられて、上球皿２１０と下球皿２２０との間の球皿空間Ｓが狭くなる可能性があっても、下球皿２２０に貯留された遊技球を取り出し易くすることができる。
【００５２】
なお、前方から後方に向かうにつれて上方に傾斜する傾斜面部２７６の形態は、例えば、ガラス枠５の手前側から球皿空間Ｓに向けて遊技者が左手を伸ばす方向に沿って形成された、左前方から右後方に向かうにつれて上方に傾斜する形態を含む。また、傾斜面部の形態は、前方から後方に向かうにつれて上方に一様に（平面状に）傾斜する形態に限定されるものではない。例えば、傾斜面部は、前方から見て断面視山形状に屈曲もしくは湾曲して形成されてもよい。また例えば、傾斜面部は、球面形状もしくは双曲面形状の凹面状に形成されてもよい。これにより、前方から球皿空間Ｓに手を入れて、下球皿２２０に貯留された遊技球を掴んだ状態で、手首を容易に捻ることができ、下球皿２２０に貯留された遊技球を取り出し易くすることができる。
【００５３】
［主基板ケースの特徴構成］
本実施形態において、主基板ケース４５０に、第１支持部３１１および第２支持部３１３に揺動可能に支持された主基板ケース４５０が揺動状態および非揺動状態のいずれであっても、第１支持係合部４８１および第２支持係合部４８３が支持位置から着脱位置に向けて相対移動しようとすると払出ユニット（賞球払出装置３５および払出通路部材３６）に当接し、第１支持係合部４８１および第２支持係合部４８３の着脱位置に向けた相対移動を規制する取り外し規制部４８６が設けられる。そして、払出ユニットが裏機構盤３０から取り外された状態においてのみ、第１支持係合部４８１および第２支持係合部４８３が支持位置と着脱位置との間で相対移動可能になって、主基板ケース４５０がブラケット部材３００に対して着脱可能に構成される。これにより、主基板ケース４５０がブラケット部材３００から不正に取り外されるのを防止することができ、主基板ケース４５０に収容された主制御基板４１０に対する不正行為を防止することが可能になる。
【００５４】
また、第１支持部３１１および第２支持部３１３が、第１軸部３１２および第２軸部３１４を有して構成され、第１支持係合部４８１および第２支持係合部４８３が、第１軸部３１２および第２軸部３１４と係合可能な第１穴部４８２および第２穴部４８４を有して構成される。これにより、第１支持部３１１および第２支持部３１３と、第１支持係合部４８１および第２支持係合部４８３の構成を簡便にすることができる。
【００５５】
また、外枠１と、前枠２と、裏機構盤３０とを有して枠部が構成され、この枠部と、遊技盤１０とを有して本体部が構成される。遊技関連部品である払出ユニット（賞球払出装置３５および払出通路部材３６）は、枠部の後側（裏機構盤３０）に着脱可能に取り付け
られ、ブラケット部材３００は、遊技盤１０の後側における払出ユニットの右方近傍に設けられる。これにより、ぱちんこ遊技機ＰＭにおいて、主基板ケース４５０がブラケット部材３００から不正に取り外されるのを防止することができ、主基板ケース４５０に収容された主制御基板４１０に対する不正行為を防止することが可能になる。
【００５６】
上述の実施形態において、図１６に示すように、コネクタカバー３２０の右端部に、主基板ケース４５０の第１支持係合部４８１に当接可能な規制リブ３２６が右方に突出して形成されてもよい。なお、ブラケット部材３００の第１支持部３１１における第１軸部３１２の左端部と、コネクタカバー３２０における規制リブ３２６の右端部との間隔は、基板ケース４５０の第１支持係合部４８１における第１穴部４８２の長さよりも短くなるように設定される。これにより、前述の払出ユニット（賞球払出装置３５および払出通路部材３６）に加え、コネクタカバー３２０がブラケット部材３００から取り外された状態においてのみ、第１支持係合部４８１および第２支持係合部４８３が支持位置と着脱位置との間で相対移動可能になって、主基板ケース４５０がブラケット部材３００に対して着脱可能に構成される。そのため、主基板ケース４５０がブラケット部材３００から不正に取り外されるのを防止することができ、主基板ケース４５０に収容された主制御基板４１０に対する不正行為を防止することが可能になる。
【００５７】
上述の実施形態において、図１７に示すように、補強部材３４０の前面側に、ビード加工等により形成された突起部（ビード部）３４６が、左右方向（第１軸部３１２および第２軸部３１４の延伸方向）に延びて形成されてもよい。これにより、補強部材３４０の強度が増すとともに、ブラケット部材３００の強度が増すため、不正に力が加えられてブラケット部材３００が変形するのを防止することができる。
【００５８】
上述の実施形態において、主基板ケース４５０が所定角度以上揺動するのを規制する揺動規制部（図示せず）が、ブラケット部材３００等に設けられてもよい。これにより、主基板ケース４５０の揺動範囲が制限されるため、取り外し規制部４８６の設計を容易にすることができる。
【００５９】
上述の実施形態において、第１支持係合部４８１および第２支持係合部４８３が支持位置と着脱位置との間の中間位置まで相対移動すると、主基板ケース４５０の取り外し規制部４８６が払出ユニット（賞球払出装置３５および払出通路部材３６）に当接する場合、主基板ケース本体４６０と結合する際の主基板ケース蓋４７０のスライド移動量Ｄ（図１４を参照）は、ブラケット部材３００に取り付けられた主基板ケース４５０（主基板ケース蓋４７０）の取り外し規制部４８６と払出ユニットとの間隔よりも長くなるように設定されることが好ましい。これにより、主基板ケース蓋４７０のみが主基板ケース本体４６０に対して左方向にスライド移動しても主基板ケース本体４６０と分離する前に払出ユニットに当接するため、主基板ケース４５０がブラケット部材３００に取り付けられたまま不正に開封されるのを防止することができ、主基板ケース４５０に収容された主制御基板４１０に対する不正行為を防止することが可能になる。
【００６０】
上述の実施形態において、第１支持部３１１および第２支持部３１３が、第１軸部３１２および第２軸部３１４を有して構成され、第１支持係合部４８１および第２支持係合部４８３が、第１軸部３１２および第２軸部３１４と係合可能な第１穴部４８２および第２穴部４８４を有して構成されているが、これに限られるものではない。第１支持係合部および第２支持係合部が、第１軸部および第２軸部を有して構成され、第１支持部および第２支持部が、第１軸部および第２軸部と係合可能な第１穴部および第２穴部を有して構成されてもよい。
【００６１】
上述の実施形態において、第１支持部３１１および第２支持部３１３と、第１支持係合
部４８１および第２支持係合部４８３とが設けられているが、これに限られるものではなく、支持部および支持係合部が１組だけ設けられてもよく、３組以上設けられてもよい。
【００６２】
上述の実施形態において、ブラケット部材３００および主基板ケース４５０（主制御装置４００）は、ぱちんこ遊技機ＰＭに用いられているが、これに限られるものではなく、スロットマシンの本体部に設けられるブラケット部材および主基板ケースとして用いられてもよい。
【００６３】
上述の実施形態において、左外装部２７３の下面側に設けられた天井面部２７５に傾斜面部２７６が形成されているが、これに限られるものではなく、左装飾部材２８０の下面側に設けられた天井面部２８２に傾斜面部が形成されてもよい。
【００６４】
上述の実施形態において、本発明が適用される弾球遊技機の一例として、ぱちんこ遊技機を例示して説明したが、これに限定されるものではなく、例えば、アレンジボール、雀球遊技機などについても同様に適用し、同様の効果を得ることができる。なお、ブラケット部材および基板ケースについては、上述のように弾球遊技機に限らず、スロットマシンなどの遊技機に用いることが可能である。
【符号の説明】
【００６５】
ＰＭ  ぱちんこ遊技機（弾球遊技機）
ＰＡ  遊技領域
Ｓ  球皿空間
１  外枠（本体部および枠部）
２  前枠（本体部および枠部）
５  ガラス枠（扉部材）
５ａ  複層ガラス（視認部）
１０  遊技盤（本体部）
３０  裏機構盤（本体部および枠部）
３５  賞球払出装置（遊技関連部品）
３６  払出通路部材（遊技関連部品）
２１０  上球皿
２２０  下球皿
２５０  演出操作装置
２５１  演出操作部
２６１  外装部
２６２  中央外装部
２６４  右外装部
２７３  左外装部（装飾部）
２７４  前面部
２７５  天井面部
２７６  傾斜面部
３００  ブラケット部材
３１１  第１支持部
３１２  第１軸部
３１３  第２支持部
３１４  第２軸部
４００  主制御装置
４１０  主制御基板
４２０  基板カバー
４５０  主基板ケース
４６０  主基板ケース本体
４７０  主基板ケース蓋
４８１  第１支持係合部
４８２  第１穴部
４８３  第２支持係合部
４８４  第２穴部
４８６  取り外し規制部
【図１】
2018011741.tif 000003
【図２】
2018011741.tif 000004
【図３】
2018011741.tif 000005
【図４】
2018011741.tif 000006
【図５】
2018011741.tif 000007
【図６】
2018011741.tif 000008
【図７】
2018011741.tif 000009
【図８】
2018011741.tif 000010
【図９】
2018011741.tif 000011
【図１０】
2018011741.tif 000012
【図１１】
2018011741.tif 000013
【図１２】
2018011741.tif 000014
【図１３】
2018011741.tif 000015
【図１４】
2018011741.tif 000016
【図１５】
2018011741.tif 000017
【図１６】
2018011741.tif 000018
【図１７】
2018011741.tif 000019